(57)【要約】【課題】  両面テープを用いることなく、容易かつ効率よく、板状の微小な磁石を固定する磁石の取付け方法，開閉検知装置及び折畳式携帯情報端末の提供を目的とする。【解決手段】  開閉検知装置１０の磁石取付け部２が、複数の磁石１１からなる磁石群１１１の先端の磁石１１が装入される装入口と、この装入口に設けられたくさび部材３３１，３３２と、レール部材３３，３４と、前方立壁２１，側方立壁２２，２３，２４，アーム部材係止部材３１と、装入された磁石１１を、逆戻りしないように係止する係止部材２４とを備えた構成としてある。【選択図】  図１
2006197280.tif 000002
【特許請求の範囲】
【請求項１】
物体の磁石取付け部に板状の磁石を取り付ける方法であって、
積み重ねられた複数の前記磁石からなる磁石群を移動させることにより、前記磁石群の先端の磁石を、前記磁石の磁気吸引力により吸引された状態で、前記磁石群から引き離しつつ、前記磁石取付け部の装入口から固定位置まで装入し、
前記固定位置まで装入された前記先端の磁石を、逆戻りしないように係止する
ことを特徴とする磁石の取付け方法。
【請求項２】
開閉される第一の物体と第二の物体の一方に形成された磁石取付け部と、前記第一の物体と第二の物体の他方に取り付けられる磁気センサと、前記磁石取付け部に取り付けられる板状の磁石とを有し、前記磁気センサが前記磁石の磁気を検知することにより、前記第一の物体と第二の物体の開閉を検知する開閉検知装置であって、
前記磁石取付け部が、
前記磁石の磁気吸引力により互いに吸引された状態で積み重ねられた、複数の前記磁石からなる磁石群の先端の磁石が装入される装入口と、  
この装入口に設けられ、前記磁石群が装入方向に移動されると、前記磁石群の先端の磁石を、前記磁石の磁気吸引力により吸引された状態で、前記磁石群から引き離しつつ、前記磁石取付け部の装入口から固定位置まで装入させるくさび部材と、  
前記装入口を除いた部分に設けられ、前記固定位置まで装入された前記先端の磁石を位置決めする位置決め部材と、
前記固定位置まで装入された前記先端の磁石を、逆戻りしないように係止する係止部材と
を具備したことを特徴とする開閉検知装置。
【請求項３】
前記くさび部材が、前記先端の磁石を前記固定位置まで装入させる磁気吸引力が作用する状態で、前記先端の磁石を、前記磁石群から引き離された状態に維持するレール部材を有することを特徴とする請求項２記載の開閉検知装置。
【請求項４】
前記磁石取付け部が、前記取付け位置に装入される前記先端の磁石を、前記レール部材又は位置決め部材の方向に付勢しつつ押さえつける押え部材を備えたことを特徴とする請求項２又は３記載の開閉検知装置。
【請求項５】
前記押え部材が、板ばね状の平板と、この平板に突設され、前記先端の磁石と点接触する凸部とからなることを特徴とする請求項４記載の開閉検知装置。
【請求項６】
前記磁石取付け部が、前記先端の磁石が引き離された前記磁石群を前記装入方向へ導くガイド部材を備えたことを特徴とする請求項２〜５のいずれか一項に記載の開閉検知装置。
【請求項７】
前記係止部材が、両端又は一端が前記第一の物体又は第二の物体に固定された板ばね状の平板に設けられたことを特徴とする請求項２〜６のいずれか一項に記載の開閉検知装置。
【請求項８】
上記請求項２〜７のいずれかに記載の開閉検知装置を具備したことを特徴とする折畳式携帯情報端末。
【請求項９】
前記開閉される第一の物体と第二の物体を、携帯電話機の表示部側筐体と操作部側筐体としたことを特徴とする請求項８記載の折畳式携帯情報端末。
【発明の詳細な説明】
【技術分野】
【０００１】
本発明は、磁石の取付け方法，開閉検知装置及び折畳式携帯情報端末に関し、特に、磁石，磁力センサ及び磁石取付け部を備えた折畳式携帯情報端末の開閉検知装置において、磁石を容易かつ効率よく固定することのできる磁石の取付け方法，開閉検知装置及び折畳式携帯情報端末に関する。
【背景技術】
【０００２】
従来、二つの筐体をヒンジ等で開閉自在に連結した機器のなかには、筐体の開閉を自動的に検知する開閉検知装置を備えているものがある。
通常、このような機器は、開閉検知装置からの検知信号にもとづいて、機器の動作を制御している。たとえば、携帯電話機やＰＤＡ（個人情報端末），ノートパソコンなどの持ち運び可能な折畳式携帯情報端末は、表示部と本体の両筐体の開閉を検知し、その動作状態（たとえば、通話，無通話状態の切替や、表示パネルのバックライトの点灯，消灯状態の切替など）を自動的に制御している。
【０００３】
（従来例）
次に、従来例に係る折畳式携帯電話機について図面を参照して説明する。
図９は、従来例に係る折畳式携帯電話機の概略斜視図を示している。
同図において、折畳式携帯電話機１００は、第一筐体としての表示部５１と、第二筐体としての操作部６１と、表示部５１と操作部６１を連結するヒンジ７１と、表示部５１の開閉を検知する開閉検知装置１１０とを備えた構成としてある。また、表示部５１は、上ケース５２と下ケース５３とからなっている。
【０００４】
開閉検知装置１１０は、磁石１１と磁力センサ１２とからなっており、通常、磁石１１は表示部５１に内蔵され、磁力センサ１２は操作部６１に内蔵されている。
この開閉検知装置１１０は、表示部５１が閉められると、磁石１１が磁力センサ１２に接近し、磁力センサ１２が強い磁力を検知する。また、表示部５１が開かれると、磁石１１が磁力センサ１２から離れるので、磁力センサ１２が弱い磁力を検知する。すなわち、開閉検知装置１１０は、所定の磁力より強い磁力を検知すると、表示部５１が閉じている旨の閉信号を出力し、所定の磁力より弱い磁力を検知すると、表示部５１が開いている旨の開信号を出力する。
【０００５】
ところで、磁石１１を小さくすると、折畳式携帯電話機１００を軽量化することができる。このため、開閉検知装置１１０には、各辺が数ｍｍ、かつ、板厚がコンマ数ｍｍのほぼ矩形板状の微小な磁石１１が使用されている。なお、磁石１１の微小化により磁石１１の磁力が低下しても、表示部５１が閉じられた際、磁力センサ１２が所定の磁力より強い磁力を検知できるように、磁石１１と磁力センサ１２との距離を調整してある。
【０００６】
折畳式携帯電話機１００の表示部５１は、樹脂成形された上ケース５２及び下ケース５３と、このケースどうし５２，５３を締結するためのねじ５４，５５とを有している（図１０参照）。さらに、ねじ５４，５５が露出することによりデザイン性が損なわれないように、ねじ５４，５５を覆い隠すためのねじ隠し部材５６が、両面テープ（図示せず）を介して上ケース５２に貼り付けられている。
【０００７】
また、折畳式携帯電話機１００は、表示部５１の情報を閲覧したり通話したりするときには、表示部５１が開かれ、また、閲覧や通話が終了すると、表示部５１が閉じられる。このため、表示部５１は、点消灯制御が折畳み動作と連動して行われる構成としてあり、このようにすることにより、操作性が向上するとともに、折畳式携帯電話機１００のバッテリーライフを長く設定することができる。
【０００８】
次に、磁石１１の固定方法について、図面を参照して説明する。
図１１は、従来例に係る折畳式携帯電話機の磁石の固定方法を説明するための概略拡大斜視図を示している。
同図において、磁石１１の固定方法は、まず、多数の磁石１１が磁気吸引力によって積み重ねられた磁石群１１１の一番下の磁石１１の下面，又は，上ケース５２の裏面５２１の突設された矩形環状の枠１１３内の底面部１１４に、両面テープ１１２を貼り付ける。次に、磁石群１１１を降下させて、上ケース５２の裏面５２１の突設された矩形環状の枠１１３内の底面部１１４に、最下部の磁石１１を貼り付け固定し、最後に、上方の残った磁石群１１１をＦ方向にスライドさせる方法であった。
【０００９】
なお、磁石の固定方法は、上述した固定方法に限定されるものではなく、たとえば、抜き部に磁石を圧力する固定方法（特許文献１参照）や、ヒンジ部に磁石の位置決め部材を成形して、この位置決め部材に磁石を固定する固定方法（特許文献２）が開示されている。
【特許文献１】特開２００２−２６３５７２号公報
【特許文献２】特開２００４−１７７３２７号公報
【発明の開示】
【発明が解決しようとする課題】
【００１０】
しかしながら、上記磁石１１の固定方法は、両面テープ１１２を貼り付ける際、両面テープ１１２の捻れやずれが発生しやすく、発生すると修正や貼り直しを行わなければならず、生産性が著しく低下するといった問題があった。すなわち、小さな両面テープ１１２を所定の位置に貼り付ける作業は、手先の器用な作業者であっても慎重に作業しなければならない作業であり、一般的な作業者でも容易に磁石１１を固定することが可能な磁石１１の取付け方法を確立する必要があった。
【００１１】
また、両面テープ１１２を使用する取付け方法は、磁石１１と磁力センサ１２との距離が、両面テープ１１２の厚さ分だけ離れるため、設計上の制約を受けるといった問題があった。たとえば、この制約を回避するために、底面部１１４の上ケース５２を薄くすると、上ケース５２の機械的強度が低下するといった心配があった。
【００１２】
本発明は、上記問題を解決すべく、両面テープを用いることなく、容易かつ効率よく、板状の微小な磁石を固定する磁石の取付け方法，開閉検知装置及び折畳式携帯情報端末の提供を目的とする。
【課題を解決するための手段】
【００１３】
上記目的を達成するため、本発明の磁石の取付け方法は、物体の磁石取付け部に板状の磁石を取り付ける方法であって、積み重ねられた複数の前記磁石からなる磁石群を移動させることにより、前記磁石群の先端の磁石を、前記磁石の磁気吸引力により吸引された状態で、前記磁石群から引き離しつつ、前記磁石取付け部の装入口から固定位置まで装入し、前記固定位置まで装入された前記先端の磁石を、逆戻りしないように係止する方法としてある。
このようにすると、たとえば、両面テープや接着剤などを使用しなくてもすみ、取付け作業性を向上させることができる。また、板状の磁石を一つずつ摘んで、磁石取付け部の装入口から取付け位置まで装入する代わりに、摘みやすい磁石群を装入方向に移動させると、先端の磁石が磁石群から引き離され、さらに、磁気吸引力によって取付け位置まで装入されるので、作業効率を向上させることができる。
【００１４】
上記目的を達成するため、本発明の開閉検知装置は、開閉される第一の物体と第二の物体の一方に形成された磁石取付け部と、前記第一の物体と第二の物体の他方に取り付けられる磁気センサと、前記磁石取付け部に取り付けられる板状の磁石とを有し、前記磁気センサが前記磁石の磁気を検知することにより、前記第一の物体と第二の物体の開閉を検知する開閉検知装置であって、前記磁石取付け部が、前記磁石の磁気吸引力により互いに吸引された状態で積み重ねられた、複数の前記磁石からなる磁石群の先端の磁石が装入される装入口と、この装入口に設けられ、前記磁石群が装入方向に移動されると、前記磁石群の先端の磁石を、前記磁石の磁気吸引力により吸引された状態で、前記磁石群から引き離しつつ、前記磁石取付け部の装入口から固定位置まで装入させるくさび部材と、前記装入口を除いた部分に設けられ、前記固定位置まで装入された前記先端の磁石を位置決めする位置決め部材と、前記固定位置まで装入された前記先端の磁石を、逆戻りしないように係止する係止部材とを具備した構成としてある。
このようにすると、磁石群を装入方向へ移動させると、くさび部材によって、先端の磁石が磁石群から引き離され、さらに、装入方向へ移動する磁石群との間に作用する磁気吸引力によって、先端の磁石を取付け位置まで装入させることができ、作業効率を大幅に向上させることができる。
【００１５】
また、本発明の開閉検知装置は、前記くさび部材が、前記先端の磁石を前記固定位置まで装入させる磁気吸引力が作用する状態で、前記先端の磁石を、前記磁石群から引き離された状態に維持するレール部材を有する構成としてある。
このようにしても、装入方向へ移動する磁石群との間に作用する磁気吸引力によって、先端の磁石を取付け位置まで装入させることができ、作業効率を大幅に向上させることができる。
【００１６】
また、本発明の開閉検知装置は、前記磁石取付け部が、前記取付け位置に装入される前記先端の磁石を、前記レール部材又は位置決め部材の方向に付勢しつつ押さえつける押え部材を備えた構成としてある。
このようにすると、取付け位置に装入された先端の磁石が、取付け位置内でがたつくのを防止でき、先端の磁石を容易に固定することができる。
【００１７】
また、本発明の開閉検知装置は、前記押え部材が、板ばね状の平板と、この平板に突設され、前記先端の磁石と点接触する凸部とからなる構成としてある。
このようにすると、付勢機構の構造を単純化でき、かつ、先端の磁石が装入される際の摩擦抵抗を低減することができ、先端の磁石を容易に装入することができる。
【００１８】
また、本発明の開閉検知装置は、前記磁石取付け部が、前記先端の磁石が引き離された前記磁石群を前記装入方向へ導くガイド部材を備えた構成としてある。
このようにすると、ガイド部材に沿って、磁石群を移動させると、装入方向と同じ方向に移動するので、磁石を装入させるための磁気吸引力を一定に維持しながら、磁石群をスムースに移動させることができる。
【００１９】
また、本発明の開閉検知装置は、前記係止部材が、両端又は一端が前記第一の物体又は第二の物体に固定された板ばね状の平板に設けられた構成としてある。
このようにすると、平板が弾性変形することにより、係止部材と先端の磁石との摩擦抵抗を低減することができるので、先端の磁石を容易に装入することができる。
【００２０】
上記目的を達成するため、本発明の折畳式携帯情報端末は、上記請求項２〜７のいずれかに記載の開閉検知装置を具備した構成としてある。
このようにすると、両面テープを使用しなくても、開閉検知装置の磁石を取り付けることができるので、設計の自由度を大きくすることができる。
【００２１】
また、本発明の折畳式携帯情報端末は、前記開閉される第一の物体と第二の物体を、携帯電話機の表示部側筐体と操作部側筐体とした構成としてある。
このようにすると、携帯電話機に開閉検知装置の磁石を容易に取り付けることができる。
【発明の効果】
【００２２】
本発明の磁石の取付け方法，開閉検知装置及び折畳式携帯情報端末によれば、両面テープを用いることなく、容易かつ効率よく、板状の微小な磁石を固定することができる。
【発明を実施するための最良の形態】
【００２３】
［開閉検知装置］
図１は、本発明の実施形態に係る開閉検知装置の磁石取付け部を説明するための概略斜視図を示している。
また、図２は、図１のＣ−Ｃ概略拡大断面図を示している。
図１，２において、本実施形態に係る開閉検知装置１０は、上述した従来例が、両面テープ１１２と枠１１３を用いて、磁石１１を上ケース５２の裏面５２１に固定しているのに対し、磁石群１１１を装入方向Ａに移動させることにより、磁石群１１１の最下部の磁石１１を取り付ける磁石取付け部２を設けた点が相違する。他の構成要素は、従来例とほぼ同様としてある。
したがって、図１において、図１１と同様の構成部分については同一の符号を付して、その詳細な説明を省略する。
【００２４】
磁石取付け部２は、固定面である上ケース５２の裏面５２１と平行な一方向を、磁石１１の装入方向Ａとしてある。また、磁石取付け部２は、装入方向Ａに沿って装入された磁石１１が裏面５２１と平行な方向（装入方向Ａを除く。）へ移動するのを妨げる、位置決め部材としての前方立壁２１及び側方立壁２２，２３を備えている。これら前方立壁２１及び側方立壁２２，２３は、上方から見るとコの字状に成形されており、矩形状の磁石１１の三つの側面と当接して、磁石１１を三方向に対して位置決めする。
なお、本実施形態では、前方立壁２１及び側方立壁２２，２３を設けて、磁石１１が裏面５２１と平行な方向（装入方向Ａを除く。）へ移動するのを防いでいるが、位置決め部材の形状は、上記前方立壁２１及び側方立壁２２，２３の形状に限定されるものではない。
【００２５】
磁石取付け部２は、装入方向Ａに沿って取付け位置まで装入された磁石１１を係止する係止部材２４を備えており、取付け位置まで装入された磁石１１が反対方向Ｂに戻らないようにしている。なお、取付け位置とは、装入された磁石１１が前方立壁２１に接近又は当接する位置をいう。
この係止部材２４は、板ばね状の平板２５のほぼ中央部に突設されている。また、平板２５は、上ケース５２に成形された開口部５２２に、装入方向Ａと直交する方向に、両端固定された状態で成形されている。このようにすると、磁石群１１１で係止部材２４を押下すると、平板２５が下方向に弾性変形するので、係止部材２４と最下部の磁石１１との摩擦抵抗を低減することができ、磁石１１を容易に装入することができる。また、装入された磁石１１が係止部材２４を通過し押下状態が解除されると、平板２５が上方に復元し、係止部材２４が装入された磁石１１を係止する。
【００２６】
ここで、好ましくは、係止部材２４を、円柱を軸線方向に分割した形状とし、かつ、軸線方向が装入方向Ａと一致するように、平板２５に成形するとよい。このようにすると、係止部材２４と磁石１１の接触面積を小さくすることができ、係止部材２４と最下部の磁石１１との摩擦抵抗を効果的に低減することができる。
なお、係止部材２４及び平板２５は、たとえば樹脂製等の上ケース５２と一体的に成形されている。
【００２７】
磁石取付け部２は、位置決め部材としてアーム部材３１及びレール部材３３，３４を備えており、装入方向Ａに沿って装入された磁石１１が、裏面５２１と直交する垂直方向へ移動しないように位置決めしている。
また、アーム部材３１は、前方立壁２１の下端部から反対方向Ｂに突設された板ばね状の矩形平板であり、取付け位置に装入された磁石１１を、上方に付勢しつつレール部材３３，３４の下面に押さえつける。すなわち、アーム部材３１は、押え部材として機能し、磁石１１が装入方向Ａに沿って装入されると、磁石１１の下面と当接し下方に弾性変形し、弾性変形した復元力によって、装入された磁石１１を上方に押しつける。これにより、取付け位置まで装入された磁石１１が、磁石取付け部２の内部で各クリアランスの微小距離に応じて移動するのを防止している（すなわち、取付け位置に収まった磁石１１のがたつきを防止している。）。
【００２８】
また、アーム部材３１の下面は、磁石１１が装入され下方に弾性変形しても、上ケース５２の表（おもて）面５２３から突出しないように、先端方向にテーパ面３１１を成形してある。なお、アーム部材３１は、磁石１１が装入され下方に弾性変形しても、上ケース５２の表（おもて）面５２３から突出しない形状であればよく、テーパ面３１１に限定されるものではない。
【００２９】
ここで、好ましくは、アーム部材３１の先端部に凸部３２を成形するとよく、このようにすると、装入される磁石１１と凸部３２が接触し、接触面積が小さくなるので、磁石１１を装入する際の接触抵抗を低減することができる。
また、さらに好ましくは、凸部３２をたとえばほぼ半球状に成形し、凸部３２と磁石１１が点接触する構造とするとよく、このようにすると、さらに接触抵抗を低減することができる。
また、アーム部材３１の先端上部は、面取りされており、磁石１１がスムースに装入される形状としてある。
【００３０】
レール部材３３，３４は、側方立壁２２，２３の中央側の側面から、水平方向にそれぞれ突設された、ほぼ四角柱状の棒状部材であり、レール部材３３，３４の下面（図示せず）が、上方に付勢された磁石１１を係止する構成としてある。
また、装入される磁石１１にとって、装入方向Ａから見ると、レール部材３３，３４の下面，側方立壁２２，２３中央側の側面及びアーム部材３１の先端部によって、ほぼ矩形状の装入口（図示せず）が形成される。
【００３１】
レール部材３３，３４は、装入口側の先端に、先端方向に下る斜面を有するくさび部材３３１，３３２が成形してあり、磁石群１１１が装入方向Ａに移動され、最下部の磁石１１が装入口に装入される際、最下部の磁石１１より上方の磁石群１１１が、斜面に沿って斜め上方に移動する。すなわち、磁石群１１１から、最下部の磁石１１が引き離される。
なお、本実施形態では、レール部材３３，３４とくさび部材３３１，３３２を設けた構成としてあるが、この構成に限定されるものではなく、たとえば、図示してないが、レール部材３３，３４とくさび部材３３１，３３２の代わりに、より緩やかな勾配の斜面を有するくさび部材を形成する構成としてもよい。
【００３２】
側方立壁２２，２３の上部の中央側側面３３５，３３６とレール部材３３，３４の上面３３３，３３４は、磁石群１１１を装入方向Ａに沿って移動させるガイド部材として機能する。このようにすると、中央側側面３３５，３３６と上面３３３，３３４に沿って、磁石群１１１を移動させると、装入方向Ａと同じ方向に移動するので、磁石１１を装入させるための磁気吸引力を一定に維持しながら、磁石群１１１をスムースに移動させることができる。
【００３３】
また、磁石群１１１を装入方向Ａに沿って移動させる際、引き離された最下部の磁石１１と磁石群１１１の間に、磁気吸引力が作用しており、この磁気吸引力によって、最下部の磁石１１が磁石群１１１とともに、取付け位置まで装入される構成としてある。すなわち、レール部材３３，３４の垂直方向の厚さは、引き離された最下部の磁石１１と磁石群１１１の間に、磁気吸引力が作用することが可能な厚さとしてある。
さらに、レール部材３３，３４の上面３３３，３３４は、前方立壁２１の上面２１１と同じ平面を形成している。このようにすると、磁石群１１１を、上面３３３，３３４及び上面２１１に沿って、前方立壁２１よりさらに後方に移動させることができ、固定された磁石１１との間に作用する磁気吸引力を容易に断ち切ることができる。
【００３４】
次に、上記構成の磁石取付け部２に磁石１１を固定する動作を、図面を参照して説明する。
図３は、本発明の実施形態に係る開閉検知装置の磁石取付け部に、磁石を固定する際の第一動作を説明するための概略断面図を示している。
同図において、磁気吸引力によって積み重ねられた複数の磁石１１からなる磁石群１１１が、下方に押されながら上ケース５２の裏面５２１に載置される。この際、裏面５２１より突出してある係止部材２４は、平板２５が弾性変形することにより下方（押下方向Ｄ）に押下され、最下部の磁石１１が磁石取付け部２の装入口（図示せず）と対向する。
【００３５】
また、くさび部材３３１，３３２の先端が、最下部の磁石１１の上面とほぼ同じ高さに位置し、かつ、磁石１１の角部に、面取り部１３が形成されている。このようにすると、磁石群１１１が装入方向Ａに移動されると、面取り部１３どうしの間に、くさび部材３３１，３３２の先端が挿入され、最下部の磁石１１を磁石群１１１から引き離すことができる。
【００３６】
図４は、本発明の実施形態に係る開閉検知装置の磁石取付け部に、磁石を固定する際の第二動作を説明するための概略断面図を示している。
同図において、磁石群１１１が、下方に押されながら装入方向Ａに移動されると、最下部の磁石１１は、装入口から磁石取付け部２に装入される。そして、磁石群１１１がくさび部材３３１，３３２の先端に当接すると、最下部の磁石１１より上方の磁石群１１１が、くさび部材３３１，３３２の斜面を昇りはじめ最下部の磁石１１の引き離しが開始される。
なお、下から二番目以上の磁石群１１１が、くさび部材３３１，３３２の斜面を昇っている間、最下部の磁石１１は、磁石群１１１との間に作用している磁気吸引力によって、装入方向Ａに装入される。
【００３７】
次に、磁石群１１１が装入方向Ａにさらに移動されると、最下部の磁石１１がアーム部材３１の凸部３２と当接し、アーム部材３１がほぼ下方に弾性変形する。この際、アーム部材３１は、弾性変形した分だけ、磁石１１を上方に付勢しており、磁石１１の上面とレール部材３３，３４の下面が当接する。
なお、最下部の磁石１１は、磁石群１１１との間に作用している磁気吸引力によって、装入方向Ａに装入されており、この磁気吸引力が、アーム部材３１の凸部３２と当接することによる摩擦抵抗より大きいので、磁石１１はスムースに装入される。
【００３８】
次に、くさび部材３３１，３３２を昇った磁石群１１１は、レール部材３３，３４の上面３３３，３３４及び中央側側面３３５，３３６にガイドされつつ、装入方向Ａに移動される。この際、最下部の磁石１１と磁石群１１１との間には、レール部材３３，３４の厚さ分の距離をあけた状態の磁気吸引力が作用している。この磁気吸引力は、レール部材３３，３４の下面と磁石１１との摩擦抵抗，凸部３２と磁石１１との摩擦抵抗，及び，係止部材２４と磁石１１との摩擦抵抗との摩擦抵抗の合計より大きな力である。このため、最下部の磁石１１は、直接的に装入方向Ａに押されなくても、磁石群１１１が装入方向Ａに移動されると、上記磁気吸引力によって、装入方向Ａに自動的に装入される。
【００３９】
図５は、本発明の実施形態に係る開閉検知装置の磁石取付け部に、磁石を固定する際の第三動作を説明するための概略断面図を示している。
同図において、磁石群１１１が装入方向Ａにさらに移動され、前方立壁２１と当接する位置（磁石１１が取り付けられる取付け位置）まで、最下部の磁石１１が装入方向Ａに装入されると、係止部材２４が上方（係止方向Ｅ）に復元し、磁石１１の後方端面を係止する。なお、図中、前方立壁２１と磁石１１が当接し、かつ、係止手段２４と磁石１１が当接しているが、少なくともいずれか一方が離れており、微小な隙間がある場合であっても、凸部３２が、磁石１１を上方に押しつけているので、磁石１１をがたつかないように固定することができる。
【００４０】
また、磁石１１が係止手段２４によって係止された後、磁石群１１１をさらに装入方向Ａに移動させ、前方立壁２１を通り過ぎると、固定動作が終了する。
なお、磁石取付け部２が折畳式携帯電話機等に設けられる場合には、通常、磁石１１の固定が終了した後、ねじ５４，５５で上ケース５２を締結し、さらにデザイン性を損なわないように、両面テープ５７付のねじ隠し部材５６を貼付する。ここで、ねじ隠し部材５６が貼り付けられると、係止部材２４が押下方向Ｄに移動できなくなるので、衝撃によって係止部材２４が押下され、磁石１１が反対方向Ｂに移動し磁石取付け部２から抜け出てしまうといった不具合を防止することができ、より強固に磁石１１を固定することができる。
【００４１】
このように、本発明の実施形態に係る開閉検知装置１０は、両面テープ１１２を使用しなくても、磁石１１を磁石取付け部２に容易かつ効率よく固定することができるので、作業性を大幅に向上させることができる。
また、両面テープ１１２を使用しない分だけ、磁力センサ１２との距離が確保可能となり、設計の自由度を広げることができる。
【００４２】
（応用例）
また、本発明は上記実施形態に限定されるものではなく、様々な応用例を有するものである。
次に、応用例について、図面を参照して説明する。
図６は、本発明の応用例に係る開閉検知装置の磁石取付け部を説明するための概略斜視図を示している。
同図において、磁石取付け部２ａは、上記実施形態と比較して、両端固定された平板２５の代わりに、片持ち固定された平板２５ａを設けた点が相違する。他の構成要素は上記実施形態とほぼ同様としてある。
したがって、図６において、図１と同様の構成部分については同一の符号を付して、その詳細な説明を省略する。
【００４３】
磁石取付け部２ａは、上記実施形態と比べて、反対方向Ｂにより広げられた開口部５２２ａが設けられている。また、磁石取付け部２ａは、開口部５２２ａの反対方向Ｂ側の端部に、装入方向Ａ側に突設されたほぼ矩形状の平板２５ａが、片持ち固定された状態で一体的に成形してある。
【００４４】
このようにしても、所定位置に装入された磁石１１を上記実施形態の磁石取付け部２と同様に固定することができる。
また、磁石１１を装入する際、係止部材２４との摩擦抵抗を容易に低減することができ、磁石１１の装入をよりスムースに行うことができる。
【００４５】
［折畳式携帯電話機］
図７は、本発明の実施形態に係る折畳式携帯電話機の概略斜視図を示している。
また、図８は、本発明の実施形態に係る折畳式携帯電話機の要部の概略拡大斜視図を示している。
図７，８において、折畳式携帯電話機１は、従来例に係る折畳式携帯電話機１００と比較して、開閉検知装置１１０の代わりに、上述した実施形態に係る開閉検知装置１０を備えた点が相違する。他の構成要素は従来例とほぼ同様としてある。
なお、折畳式携帯電話機１は、開閉される第一の物体と第二の物体として、表示部５１側の筐体（図示せず）と操作部６１側の筐体（図示せず）とした構成としてある。このようにすると、折畳式携帯電話機１に磁石１１を容易に取り付けることができる。
【００４６】
このように、本発明の折畳式携帯電話機１によれば、両面テープ１１２を用いることなく、容易かつ効率よく、板状の微小な磁石１１を固定することができ、さらに、両面テープ１１２を用いないことにより、設計の自由度を大きくすることができる。
【００４７】
［磁石の取付け方法］
また、本発明は、磁石の取付け方法としても有効であり、次に、その方法について説明する。
本発明の実施形態に係る磁石の取付け方法は、折畳式携帯電話機１の表示部５１側の上ケース５２に設けた磁石取付け部２に、板状の磁石１１を取り付ける方法であって、積み重ねられた複数の磁石１１からなる磁石群１１１を移動させることにより、磁石群１１１の先端の磁石１１を、磁石１１の磁気吸引力により吸引された状態で、磁石群１１１から引き離しつつ、磁石取付け部２の装入口から固定位置まで装入し、固定位置まで装入された先端の磁石１１を、逆戻りしないように係止する方法としてある。
【００４８】
具体的には、先ず、複数の磁石１１を、磁石１１の磁気吸引力により互いに吸引された状態で積み重ねる。次に、積み重ねられた複数の磁石１１からなる磁石群１１の先端の磁石１１が装入口を向いた状態で、磁石群１１１を装入方向に移動させると、先端の磁石１１が、磁気吸引力によって装入されながら、装入口に設けられたくさび部材３３１，３３２によって、磁石群１１１から引き離される。続いて、磁石群１１１をさらに装入方向に移動させると、引き離された先端の磁石１１が、磁気吸引力によって取付け位置まで装入される。
【００４９】
このように、本発明にかかる磁石の取付け方法によれば、たとえば、両面テープ１１２や接着剤（図示せず）などを使用しなくてもすみ、取付け作業性を向上させることができる。また、板状の磁石１１を一つずつ摘んで、磁石取付け部２の装入口から取付け位置まで装入する代わりに、摘みやすい磁石群１１１を装入方向に移動させると、先端の磁石１１が磁石群から引き離され、さらに、磁気吸引力によって取付け位置まで装入されるので、作業効率を向上させることができる。
【００５０】
以上、本発明の磁石の取付け方法，開閉検知装置及び折畳式携帯情報端末について、好ましい実施形態を示して説明したが、本発明に係る磁石の取付け方法，開閉検知装置及び折畳式携帯情報端末は、上述した実施形態にのみ限定されるものではなく、本発明の範囲で種々の変更実施が可能であることは言うまでもない。
たとえば、上記実施形態では、開閉検知装置の実施形態について詳細に説明したが、磁石の取付け方法や折畳式携帯電話機の実施形態についても、開閉検知装置の実施形態と同様である。
また、携帯情報端末の開閉動作は、ヒンジ７１等による折畳式の動作に限定されるものではなく、たとえば、スライド式，回転式(リボルバー型等)，ユニバーサル式（二軸以上の回転部を有するもの）などの開閉動作であってもよい。
【産業上の利用可能性】
【００５１】
本発明の磁石の取付け方法，開閉検知装置及び折畳式携帯情報端末は、板状の微小な磁石を固定する場合、極めて好適であるが、磁石の形状や大きさに限定されるものではない。たとえば、取り付けられる磁石を、磁気吸引力の作用によって、所定の位置まで移動させて取り付ける、より広い概念の磁石の取付け方法としても好適に利用することができる。
【図面の簡単な説明】
【００５２】
【図１】本発明の実施形態に係る開閉検知装置の磁石取付け部を説明するための概略斜視図を示している。
【図２】図１のＣ−Ｃ概略拡大断面図を示している。
【図３】本発明の実施形態に係る開閉検知装置の磁石取付け部に、磁石を固定する際の第一動作を説明するための概略断面図を示している。
【図４】本発明の実施形態に係る開閉検知装置の磁石取付け部に、磁石を固定する際の第二動作を説明するための概略断面図を示している。
【図５】本発明の実施形態に係る開閉検知装置の磁石取付け部に、磁石を固定する際の第三動作を説明するための概略断面図を示している。
【図６】本発明の応用例に係る開閉検知装置の磁石取付け部を説明するための概略斜視図を示している。
【図７】本発明の実施形態に係る折畳式携帯電話機の概略斜視図を示している。
【図８】本発明の実施形態に係る折畳式携帯電話機の要部の概略拡大斜視図を示している。
【図９】従来例に係る折畳式携帯電話機の概略斜視図を示している。
【図１０】従来例に係る折畳式携帯電話機の要部の概略拡大斜視図を示している。
【図１１】従来例に係る折畳式携帯電話機の磁石の固定方法を説明するための概略拡大斜視図を示している。
【符号の説明】
【００５３】
１  折畳式携帯電話機
２，２ａ  磁石取付け部
１０  開閉検知装置
１１  磁石
１２  磁力センサ
１３  面取り部
２１  前方立壁
２２，２３  側方立壁
２４  係止部材
２５，２５ａ  平板
３１  アーム部材
３２  凸部
３３，３４  レール部材
５１  表示部
５２  上ケース
５３  下ケース
５４，５５  ねじ
５６  ねじ隠し部材
５７  両面テープ
６１  操作部
７１  ヒンジ
１００  折畳式携帯電話機
１１０  開閉検知装置
１１１  磁石群
１１２  両面テープ
１１３  枠
１１４  底面部
３１１  テーパ面
３３１，３３２  くさび部材
３３５，３３６  中央側側面
３３３，３３４  上面
５２１  裏面
５２２，５２２ａ  開口部
５２３  表（おもて）面
【図１】
2006197280.tif 000003
【図２】
2006197280.tif 000004
【図３】
2006197280.tif 000005
【図４】
2006197280.tif 000006
【図５】
2006197280.tif 000007
【図６】
2006197280.tif 000008
【図７】
2006197280.tif 000009
【図８】
2006197280.tif 000010
【図９】
2006197280.tif 000011
【図１０】
2006197280.tif 000012
【図１１】
2006197280.tif 000013